(57)【要約】【課題】放射線画像撮影装置と外部装置との間で通信が行われている場合であっても、電力供給経路に異常が生じている場合には、放射線技師等の操作者にそれを的確に認識させることが可能な放射線画像撮影システムを提供する。【解決手段】放射線画像撮影システム１００は、内蔵電源２４を備え、被写体の放射線画像を撮影する放射線画像撮影装置１と、放射線画像撮影装置１の内蔵電源２４に電力を供給可能な電源部４１とを備え、電源部４１と放射線画像撮影装置１とはケーブルＣａで接続されており、放射線画像撮影装置１は、ケーブルＣａを介して電源部４１から当該放射線画像撮影装置１の内蔵電源２４に電力を供給するための電力供給経路に異常が生じている場合にそれを検出する異常検出手段３３を備え、異常検出手段３３は、電力供給経路の異常を検出すると、報知手段５１に電力供給経路の異常を報知するように指示を出す。【選択図】図４
2018121892.tif 000002
【特許請求の範囲】
【請求項１】
内蔵電源を備え、被写体の放射線画像を撮影する放射線画像撮影装置と、
前記放射線画像撮影装置の前記内蔵電源に電力を供給可能な電源部と、
を備え、
前記電源部と前記放射線画像撮影装置とはケーブルで接続されており、
前記放射線画像撮影装置は、前記ケーブルを介して前記電源部から当該放射線画像撮影装置の前記内蔵電源に電力を供給するための電力供給経路に異常が生じている場合にそれを検出する異常検出手段を備え、
前記異常検出手段は、前記電力供給経路の異常を検出すると、報知手段に前記電力供給経路の異常を報知するように指示を出すことを特徴とする放射線画像撮影システム。
【請求項２】
前記報知手段は、前記指示を受けると、前記電力供給経路に異常が生じていることを報知することを特徴とする請求項１に記載の放射線画像撮影システム。
【請求項３】
前記報知手段は、携帯情報端末、又は前記放射線画像撮影装置を制御可能なコンソールに設けられていることを特徴とする請求項１又は請求項２に記載の放射線画像撮影システム。
【請求項４】
前記電源部は、前記放射線画像撮影装置と外部機器との間の通信を中継する中継器に内蔵されており、
前記異常検出手段は、前記電力供給経路の異常を検出すると、前記ケーブルを介して有線方式で前記中継器に前記指示を出力し、前記中継器を介して前記報知手段に前記指示を出力することを特徴とする請求項１から請求項３のいずれか一項に記載の放射線画像撮影システム。
【請求項５】
前記報知手段は、前記放射線画像撮影装置に設けられていることを特徴とする請求項１又は請求項２に記載の放射線画像撮影システム。
【請求項６】
前記報知手段は、前記異常検出手段から前記指示を受信しない場合は、前記電力供給経路が正常であることを報知することを特徴とする請求項１から請求項５のいずれか一項に記載の放射線画像撮影システム。
【請求項７】
前記ケーブルは、前記電源部から当該放射線画像撮影装置の前記内蔵電源に電力を供給する電力供給用配線と、通信に用いる通信用配線とを含むことを特徴とする請求項１から請求項６のいずれか一項に記載の放射線画像撮影システム。
【請求項８】
前記報知手段は、前記放射線画像撮影装置と外部装置との間の通信が正常であるか異常であるかも報知することを特徴とする請求項１から請求項７のいずれか一項に記載の放射線画像撮影システム。
【請求項９】
前記異常検出手段は、前記放射線画像撮影装置の前記内蔵電源の電圧をモニターし、前記内蔵電源の充電時に前記内蔵電源の電圧が上昇しない場合に、前記電力供給経路に異常が生じていることを検出することを特徴とする請求項１から請求項８のいずれか一項に記載の放射線画像撮影システム。
【請求項１０】
前記異常検出手段は、前記放射線画像撮影装置の前記内蔵電源の充電を行っていない場合には、前記電力供給経路の異常の検出処理を行わないことを特徴とする請求項９に記載の放射線画像撮影システム。
【請求項１１】
前記中継器は、前記ケーブルを介して前記電源部から当該放射線画像撮影装置の前記内蔵電源に電力を供給するための電力供給経路で短絡が生じている場合にそれを検出する短絡検出手段を備え、
前記短絡検出手段は、前記電力供給経路で短絡が生じていることを検出すると、前記報知手段に前記電力供給経路で短絡が生じていることを報知するように指示を出すことを特徴とする請求項１から請求項１０のいずれか一項に記載の放射線画像撮影システム。
【請求項１２】
前記報知手段は、前記指示を受けると、前記電力供給経路で短絡が生じていることを報知することを特徴とする請求項１１に記載の放射線画像撮影システム。
【請求項１３】
前記短絡検出手段は、前記電源部から前記放射線画像撮影装置に供給する電力の電圧をモニターし、前記電圧が閾値以下である場合に、前記電力供給経路で短絡が生じていることを検出することを特徴とする請求項１１又は請求項１２に記載の放射線画像撮影システム。
【請求項１４】
被写体の放射線画像を撮影する放射線画像撮影装置であって、
外部電源部からケーブルを接続して電力を充電可能な内蔵電源と、
前記内蔵電源に電力を供給するための電力供給経路に異常が生じている場合にそれを検出する異常検出手段と、
を備え、
前記異常検出手段は、異常を検出すると、報知手段に前記電力供給経路の異常を報知するように指示を出すことを特徴とする放射線画像撮影装置。
【発明の詳細な説明】
【技術分野】
【０００１】
本発明は、放射線画像撮影システム及び放射線画像撮影装置に関する。
【背景技術】
【０００２】
照射された放射線の線量に応じて検出素子で電荷を発生させて電気信号に変換するいわゆる直接型の放射線画像撮影装置や、照射された放射線をシンチレーター等で可視光等の他の波長の電磁波に変換した後、変換され照射された電磁波のエネルギーに応じてフォトダイオード等の光電変換素子で電荷を発生させて電気信号（すなわち画像データ）に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００３】
このタイプの放射線画像撮影装置はＦＰＤ（Flat Panel Detector）として知られており、従来は支持台等と一体的に形成された、いわゆる専用機型（固定型等ともいう。）として構成されていたが、近年、放射線検出素子等を筐体内に収納し、持ち運び可能とした可搬型（カセッテ型等ともいう。）の放射線画像撮影装置が開発され、実用化されている。そして、このような可搬型の放射線画像撮影装置（以下、単に放射線画像撮影装置という。）では、通常、装置内の制御手段等の各機能部に必要な電力を供給するための電源回路や、電源回路に電力を供給する内蔵電源を備えている。
【０００４】
また、放射線画像撮影装置にはＲＡＭ（Random Access Memory）等の記憶手段が内蔵されており、撮影が行われて放射線画像撮影装置で画像データを読み出すごとにそれらの画像データを記憶手段に記憶することができるように構成されている。そして、放射線画像撮影装置の記憶手段に記憶された画像データは、撮影後、画像処理装置等の外部装置に転送される。その際、放射線画像撮影装置と外部装置とをケーブルで接続して例えば有線ＬＡＮ（Local Area Network）で画像データの転送等を行うように構成される場合がある。
【０００５】
このように放射線画像撮影装置にケーブルを接続する場合、有線ＬＡＮによる通信に用いる通信用配線だけでなく外部電源から放射線画像撮影装置に電力を供給するための電力供給用配線をも含む専用ケーブルを放射線画像撮影装置に接続したり、あるいは通信用配線を含むケーブルと電力供給用配線を含むケーブルをそれぞれ別々に放射線画像撮影装置に接続する等して、画像データの転送等の通信と同時に、外部電源から放射線画像撮影装置への電力の供給を行うように構成される場合がある（例えば特許文献１等参照）。
【先行技術文献】
【特許文献】
【０００６】
【特許文献１】特開２００９−１８６４３９号公報
【発明の概要】
【発明が解決しようとする課題】
【０００７】
ところで、上記のように構成する場合、通信用配線を介して放射線画像撮影装置と外部装置との間で通信（画像データの転送を含む。以下同じ。）が確立していれば、放射線画像撮影装置のコネクターとケーブルのコネクターとが的確に接続されていると判断される。そして、通常、コネクター同士が接続されていれば、電力供給用配線も放射線画像撮影装置に接続されており電力供給用配線を介して外部電源から放射線画像撮影装置に電力が供給されていると判断される。
【０００８】
すなわち、放射線技師等の操作者は、放射線画像撮影装置と外部装置との間で的確に通信が行われていれば、通常、外部電源から放射線画像撮影装置に電力が供給されており、放射線画像撮影装置の内部電源を的確に充電することができていると認識する。
【０００９】
しかし、電力供給用配線自体に断線や短絡等が生じていたり、放射線画像撮影装置内や、放射線画像撮影装置に電力を供給する外部の電源部内で断線や短絡等が生じている等して、電源部から放射線画像撮影装置の内蔵電源に電力を供給するための電力供給経路に異常が生じている場合、通信用配線を介して放射線画像撮影装置と外部装置との間で通信が確立していても、放射線画像撮影装置には電力が供給されない。
【００１０】
そのため、放射線画像撮影装置を用いて撮影を行っている間、操作者は放射線画像撮影装置の内蔵電源が充電されていると思っているが、実際には、放射線画像撮影装置の内蔵電源は充電されていないという事態が生じ得る。
【００１１】
そして、このような場合、例えば、放射線技師等の操作者が、放射線画像撮影装置からケーブルを取り外し、無線ＬＡＮ等の無線方式で画像データを転送したり放射線画像撮影装置と外部装置との間で通信を行わせようとしても通信が行われない。そのため、その時点で初めて操作者が放射線画像撮影装置の内蔵電源の充電が行われていないことに気づき、放射線画像撮影装置の内蔵電源の充電を行う等の予定外の処理を行わなければならなくなるため、予定していた作業に支障を来してしまう等の問題が生じる場合があった。
【００１２】
また、上記のように内蔵電源が充電されていると誤認識した操作者が、放射線画像撮影装置からケーブル等を取り外した状態で撮影を行い、撮影の最中に内蔵電源が消耗して放射線画像撮影装置が動作を停止してしまうと、結局、再撮影が必要になり、被写体である患者の被曝線量がその分増えてしまうといった問題も生じ得る。
【００１３】
本発明は、上記の点を鑑みてなされたものであり、放射線画像撮影装置と外部装置との間で通信が行われている場合であっても、電力供給経路に異常が生じている場合には、放射線技師等の操作者にそれを的確に認識させることが可能な放射線画像撮影システム及び放射線画像撮影装置を提供することを目的とする。
【課題を解決するための手段】
【００１４】
前記の問題を解決するために、本発明の放射線画像撮影システムは、
内蔵電源を備え、被写体の放射線画像を撮影する放射線画像撮影装置と、
前記放射線画像撮影装置の前記内蔵電源に電力を供給可能な電源部と、
を備え、
前記電源部と前記放射線画像撮影装置とはケーブルで接続されており、
前記放射線画像撮影装置は、前記ケーブルを介して前記電源部から当該放射線画像撮影装置の前記内蔵電源に電力を供給するための電力供給経路に異常が生じている場合にそれを検出する異常検出手段を備え、
前記異常検出手段は、前記電力供給経路の異常を検出すると、報知手段に前記電力供給経路の異常を報知するように指示を出すことを特徴とする。
【００１５】
また、本発明の放射線画像撮影装置は、
被写体の放射線画像を撮影する放射線画像撮影装置であって、
外部電源部からケーブルを接続して電力を充電可能な内蔵電源と、
前記内蔵電源に電力を供給するための電力供給経路に異常が生じている場合にそれを検出する異常検出手段と、
を備え、
前記異常検出手段は、異常を検出すると、報知手段に前記電力供給経路の異常を報知するように指示を出すことを特徴とする。
【発明の効果】
【００１６】
本発明のような方式の放射線画像撮影システム及び放射線画像撮影装置によれば、放射線画像撮影装置と外部装置との間で通信が行われている場合であっても、電力供給経路に異常が生じている場合には、放射線技師等の操作者にそれを的確に認識させることが可能となる。
【図面の簡単な説明】
【００１７】
【図１】本実施形態に係る放射線画像撮影装置の外観を示す斜視図である。
【図２】放射線画像撮影装置の等価回路を表すブロック図である。
【図３】本実施形態に係る放射線画像撮影装置の内蔵電源の充電等に関する構成を表すブロック図である。
【図４】本実施形態に係る放射線画像撮影システムの構成を表すブロック図である。
【図５】操作者が携帯する携帯情報端末を表す図である。
【図６】放射線画像撮影装置の内蔵電源の電圧の時間的推移を表すグラフであり、充電を開始した際に上昇し始める場合と低下し続ける場合とを説明するグラフである。
【図７】他の構成例に係る放射線画像撮影システムの構成を表すブロック図である。
【図８】電力供給経路に短絡が生じていない場合の電圧に比べて短絡が生じている場合には電源部から放射線画像撮影装置に供給する電力の電圧が格段に小さくなること等を説明するグラフである。
【発明を実施するための形態】
【００１８】
以下、本発明に係る放射線画像撮影システム及び放射線画像撮影装置の実施の形態について、図面を参照して説明する。
【００１９】
［放射線画像撮影装置について］
まず、本実施形態に係る放射線画像撮影装置の構成について簡単に説明する。図１は、本実施形態に係る放射線画像撮影装置の外観を示す斜視図であり、図２は、放射線画像撮影装置の等価回路を表すブロック図である。
【００２０】
図１に示すように、放射線画像撮影装置１の筐体２の一方の側面には、電源スイッチ２５や切替スイッチ２６、コネクター２７、インジケーター２８等が配置されている。また、図示を省略するが、筐体２の反対側の側面には、外部と無線方式で通信を行うためのアンテナ２９（図２参照）が設けられている。
【００２１】
図２に示すように、放射線画像撮影装置１では、図示しないセンサー基板上に複数の放射線検出素子７が二次元状（マトリクス状）に配列されている。そして、各放射線検出素子７は、被写体である図示しない患者の身体を透過した放射線が照射されると、その線量に応じた電荷を発生させるようになっている。また、各放射線検出素子７には、バイアス線９や結線１０を介してバイアス電源１４から逆バイアス電圧が印加されるようになっている。
【００２２】
また、走査駆動手段１５では、電源回路１５ａから配線１５ｃを介して供給されたオン電圧とオフ電圧がゲートドライバー１５ｂで切り替えられて走査線５の各ラインＬ１〜Ｌｘに印加されるようになっている。そして、各放射線検出素子７には、スイッチ素子としてＴＦＴ（Thin Film Transistor）８が接続されており、ＴＦＴ８は走査線５を介してオフ電圧が印加されるとオフ状態になり、放射線検出素子７と信号線６との導通を遮断して、放射線検出素子７内で発生した電荷を放射線検出素子７内に蓄積させる。
【００２３】
また、ＴＦＴ８は、走査線５を介してオン電圧が印加されるとオン状態になって、放射線検出素子７内に蓄積された電荷を信号線６に放出させるようになっている。読み出しＩＣ１６内には複数の読み出し回路１７が設けられており、各信号線６は、それぞれ読み出し回路１７に接続されている。
【００２４】
図示しない被写体を介して放射線画像撮影装置１に放射線が照射されて撮影が行われた後の各放射線検出素子７からの画像データＤの読み出し処理では、ゲートドライバー１５ｂからオン電圧が印加された走査線５に接続されている各ＴＦＴ８がオン状態になると、放射線検出素子７から電荷がＴＦＴ８を介して信号線６に放出されて読み出し回路１７に流れ込む。そして、読み出し回路１７の増幅回路１８では流れ込んだ電荷の量に応じた電圧値が出力される。
【００２５】
そして、相関二重サンプリング回路（図２では「ＣＤＳ」と記載されている。）１９は、増幅回路１８から出力された電圧値をアナログ値の画像データＤとして読み出して下流側に出力し、出力された画像データＤはアナログマルチプレクサー２１を介してＡ／Ｄ変換器２０に順次送信され、Ａ／Ｄ変換器２０でデジタル値の画像データＤに順次変換されて記憶手段２３に順次保存される。
【００２６】
そして、ゲートドライバー１５ｂから走査線５の各ラインＬ１〜Ｌｘにオン電圧を順次印加させることで、各放射線検出素子７からそれぞれ画像データＤを読み出す。本実施形態では、このようにして放射線画像撮影装置１で被写体の放射線画像が撮影されるようになっている。
【００２７】
制御手段２２は、図示しないＣＰＵ（Central Processing Unit）やＲＯＭ（Read Only Memory）、ＲＡＭ、入出力インターフェース等がバスに接続されたコンピューターや、ＦＰＧＡ（Field Programmable Gate Array）等で構成されている。専用の制御回路で構成されていてもよい。
【００２８】
制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３が接続されており、また、アンテナ２９やコネクター２７を介して外部と無線方式や有線方式で通信を行う通信部３０が接続されている。
【００２９】
また、制御手段２２には、前述した走査駆動手段１５や読み出し回路１７、記憶手段２３、バイアス電源１４等が接続されており、それらの機能部や制御手段２２等に所定の電力を供給する内蔵電源２４が接続されている。内蔵電源２４は、例えばリチウムイオンキャパシター（ＬＩＣ）等の二次電池で構成することが可能である。
【００３０】
図３は、本実施形態に係る放射線画像撮影装置１の内蔵電源２４の充電等に関する構成を表すブロック図である。図中のＳＰは、図示しない基台に、前述した放射線検出素子７が二次元状に配列されたセンサー基板や走査駆動手段１５、読み出しＩＣ１６等で構成されるセンサーパネルを表す。また、図３では、制御手段２２や内蔵電源２４、後述する充電制御回路３１等がセンサーパネルＳＰから離れた位置に記載されているが、実際にはセンサーパネルＳＰに取り付けられている。
【００３１】
図３に示すように、放射線画像撮影装置１のコネクター２７と内蔵電源２４とを結ぶ配線上に内蔵電源２４への充電を制御する充電制御回路３１が設けられている。コネクター２７には外部のケーブルＣａのコネクターＣが接続されるようになっている。
【００３２】
そして、充電制御回路３１は、内蔵電源２４の電圧Ｖを測定する図示しない電圧測定手段を有しており、ケーブルＣａを介して外部の後述する電源部４１（後述する図４参照）から所定の電力が供給されると、電圧測定手段が測定した内蔵電源２４の電圧Ｖに基づいて当該電力を一定値の電流や一定値の電圧の電力に変換して内蔵電源２４に供給して定電流充電や定電圧充電等を行う。本実施形態では、充電制御回路３１はこのようにして内蔵電源２４の充電を行うようになっている。
【００３３】
なお、本実施形態では、充電制御回路３１は、内蔵電源２４の電圧Ｖが所定の電圧値Ｖminまで低下した時点で内蔵電源２４の充電処理を開始する。そして、上記のように定電流充電や定電圧充電等を行い、内蔵電源２４の電圧Ｖが所定の電圧値Ｖmaxになると充電処理を終了する、そして、充電制御回路３１は、内蔵電源２４の電圧Ｖが再び所定の電圧値Ｖminまで低下するまで、あるいは放射線技師等の操作者により充電開始の指示があるまで、内蔵電源２４の充電処理を行わないようになっている。
【００３４】
一方、内蔵電源２４から電源回路３２に電力が供給され、電源回路３２は、制御手段２２やセンサーパネルＳＰ上の各機能部（例えば走査駆動手段１５や読み出し回路１７、記憶手段２３、バイアス電源１４等（図２参照））にそれぞれ所定の電力を供給するようになっている。
【００３５】
また、図３に示すように、放射線画像撮影装置１は異常検出手段３３を備えており、異常検出手段３３は、ケーブルＣａを介して電源部４１から放射線画像撮影装置１の内蔵電源２４に電力を供給するための電力供給経路に異常が生じている場合にそれを検出するようになっている。この点については後で説明する。
【００３６】
なお、図３に示したように、異常検出手段３３を、制御手段２２や充電制御回路３１とは別体の回路等として構成することが可能であるが、例えば、制御手段２２が異常検出手段３３として機能するように構成してもよく、あるいは、前述したように内蔵電源２４の電圧Ｖを測定する電圧測定手段を備える充電制御回路３１等が異常検出手段として機能するように構成することも可能である。
【００３７】
［放射線画像撮影システムについて］
次に、本実施形態に係る放射線画像撮影システム１００の構成等について説明する。図４は、本実施形態に係る放射線画像撮影システムの構成を表すブロック図である。
【００３８】
本実施形態では、放射線画像撮影システム１００は、放射線画像撮影装置１と、中継器４０とを備えており、中継器４０は、コンソール５０に接続されている。コンソール５０は、放射線画像撮影装置１に必要な信号等を送信して放射線画像撮影装置１の動作を制御することが可能とされた装置である。中継器４０は、放射線画像撮影装置１やコンソール５０とそれぞれケーブルＣａで接続されており、放射線画像撮影装置１とコンソール５０との間の例えば有線ＬＡＮによる通信を中継するようになっている。
【００３９】
なお、本実施形態では、中継器４０と放射線画像撮影装置１との間を接続するケーブルＣａは、有線ＬＡＮによる通信に用いる通信用配線αと、後述する電源部４１から放射線画像撮影装置１に電力を供給するための電力供給用配線βとを含む専用ケーブルとして形成されているが、前述したように、通信用配線αを含むケーブルと電力供給用配線βを含むケーブルをそれぞれ別々に放射線画像撮影装置１に接続するように構成してもよい。また、ケーブルＣａ内の接続検出用配線γについては後で説明する。
【００４０】
また、図４では、中継器４０とコンソール５０との間もケーブルＣａで接続されている場合を示したが、中継器４０とコンソール５０との間をケーブルＣａで接続せずに、それらの間の通信を無線方式で行うように構成することも可能である。また、中継器４０は、放射線画像撮影装置１とコンソール５０との間の通信を中継する代わりに、あるいはそれとともに、例えば、放射線画像撮影装置１と、放射線技師等の操作者が携帯する携帯情報端末６０（図５参照）や他の機器との間の通信を中継するように構成することも可能である。
【００４１】
すなわち、本実施形態では、放射線画像撮影装置１と中継器４０との間はケーブルＣａを介して有線方式で通信が行われるが、中継器４０とコンソール５０や携帯情報端末６０あるいは他の機器との間の通信は有線方式と無線方式のいずれの方式で行ってもよい。
【００４２】
一方、本実施形態では、中継器４０は電源部４１を内蔵しており、電源部４１には、外部電源すなわち商用電源やＡＣアダプター、ＰｏＥ（Power over Ethernet（Ethernetは登録商標））規格に準拠した給電機器等から電力が供給されるようになっている。なお、電源部４１を、中継器４０とは別体の機器として設けることも可能である。
【００４３】
そして、電源部４１は、電力供給用配線βを介して放射線画像撮影装置１の充電制御回路３１に所定の電力を供給するようになっている。そして、放射線画像撮影装置１の充電制御回路３１は、前述したように内蔵電源２４の充電を行う際には電源部４１から供給される電力に基づいて放射線画像撮影装置１の内蔵電源２４の定電流充電や定電圧充電を行う。
【００４４】
また、図４では図示を省略したが、放射線画像撮影装置１の制御手段２２（図２等参照）は、放射線画像撮影装置１の通信部３０や通信用配線α、中継器４０を介してコンソール５０や携帯情報端末６０等と通信を行ったり、放射線画像撮影装置１からコンソール５０等に画像データＤを転送したりして撮影が行われるようになっている。
【００４５】
［電力供給経路における異常について］
ここで、前述した電力供給経路における異常について説明する。電力供給経路とは、電源部４１から放射線画像撮影装置１の内蔵電源２４に電力を供給する経路であり、その際、電力供給用配線βに断線や短絡等が生じたり、放射線画像撮影装置１の内部（例えば充電制御回路３１等）や電源部４１の内部、あるいはコネクター２７、Ｃの電力供給用配線βの接続部分での接続不良や断線、短絡等、あるいは電源部４１と電力供給用配線βとの接続部分での接続不良や断線、短絡等が生じても、電源部４１から放射線画像撮影装置１の内蔵電源２４に電力を供給することができなくなる。
【００４６】
すなわち、電力供給経路には、電力供給用配線βだけでなく、放射線画像撮影装置１や電源部４１も含まれる。そして、電力供給経路における異常には、電力供給用配線β自体の異常（すなわち断線や短絡等）や放射線画像撮影装置１や電源部４１の内部での異常、あるいはそれらと電力供給用配線βとの接続部分での異常も含まれる。
【００４７】
そして、図４に示したように通信用配線αと電力供給用配線βとは別々の配線であるため、通信用配線αを介して放射線画像撮影装置１とコンソール５０や携帯情報端末６０等の外部装置との間で通信が確立しておりそれらの間で通信を行うことができる状態であっても、上記のような電力供給経路における異常は生じ得る。
【００４８】
なお、本実施形態では、放射線画像撮影装置１の制御手段２２あるいは後述する異常検出手段３３（あるいは他の機能部）は、中継器４０を介してコンソール５０等の外部装置と通信を行うことができる場合に、通信用配線αを介して放射線画像撮影装置１とコンソール５０等の外部装置との間で通信が確立していると判断（あるいは認識）するようになっている。
【００４９】
［異常検出手段での検出について］
異常検出手段３３（図４参照）は、このようにしてケーブルＣａを介して電源部４１から放射線画像撮影装置１の内蔵電源２４に電力を供給するための上記の電力供給経路に異常が生じている場合にそれを検出するようになっている。異常検出手段３３における電力供給経路における異常の検出は、例えば以下のようにして行うように構成することが可能である。
【００５０】
上記のように、放射線画像撮影装置１の充電制御回路３１から内蔵電源２４に電力を供給して充電を行う場合、図６に示すように、それまで低下を続けていた（あるいは一定値に維持されていた）内蔵電源２４の電圧Ｖが、充電を開始すると、通常の場合は上昇し始める（図６の一点鎖線参照）。しかし、上記のように電力供給経路に異常が生じていると、充電を開始しても充電制御回路３１から内蔵電源２４に電力が供給されないため、内蔵電源２４の電圧Ｖは低下し続ける（図６の実線参照。あるいは一定値を維持し続ける。）。
【００５１】
そこで、例えば、異常検出手段３１が放射線画像撮影装置１の内蔵電源２４の電圧Ｖをモニターするように構成し、内蔵電源２４の充電時に内蔵電源２４の電圧Ｖが上昇しない場合（例えば図６の実線参照）に、電力供給経路に異常が生じていることを検出するように構成することが可能である。
【００５２】
このように構成すれば、内蔵電源２４の充電を行っているにもかかわらず内蔵電源２４の電圧Ｖが上昇しないのは、電力供給用配線βや放射線画像撮影装置１、電源部４１のいずれか（複数の箇所で異常が生じている可能性もある。）で異常が生じているためであるから、異常検出手段３１は、電力供給経路に異常が生じていることを的確に検出することが可能となる。
【００５３】
なお、放射線画像撮影装置１の内蔵電源２４の電圧Ｖが上昇しているか否かに基づいて電力供給経路に異常が生じているか否かを検出する上記の検出処理を例えば常時行うように構成すると、内蔵電源２４の充電を行っていない場合の内蔵電源２４の電圧Ｖの低下に基づいて電力供給経路に異常が生じていることを誤って検出してしまう。そのため、上記のように構成する場合には、異常検出手段３３は、放射線画像撮影装置１の内蔵電源２４の充電を行っていない場合には上記の検出処理を行わないように構成される。
【００５４】
［報知手段での報知について］
本実施形態では、異常検出手段３３は、例えば上記のようにして電力供給経路の異常を検出すると、報知手段に電力供給経路の異常を報知するように指示を出すようになっている。報知手段は、指示を受けると、電力供給経路に異常が生じていることを報知するように構成されている。このように構成すれば、放射線技師等の操作者に、電力供給経路に異常が生じており、放射線画像撮影装置１の内蔵電源２４の充電が行われていないことを確実に報知することが可能となる。
【００５５】
その際、例えば、報知手段を放射線画像撮影装置１のインジケーター２８（図１や図３参照）で構成し、電力供給経路の異常を検出した場合にインジケーター２８を赤色等の所定の色で点灯させたり点滅させる等して放射線技師等の操作者に電力供給経路の異常を報知させるように構成することが可能である。また、例えば、報知手段として放射線画像撮影装置１に図示しないスピーカーやブザー等の発声装置を設けておき、発声装置から音声を生じさせて電力供給経路の異常を報知させるように構成することも可能である。
【００５６】
また、例えば、コンソール５０の表示部５１（図４参照）や携帯情報端末６０の表示部６１（図５参照）等を報知手段として用いるように構成することも可能である。このように構成する場合、放射線画像撮影装置１の異常検出手段３３は、電力供給経路の異常を検出すると、ケーブルＣａを介して有線方式で中継器４０に電力供給経路の異常を報知する旨の指示を出力し、中継器４０を介して有線方式あるいは無線方式でコンソール５０や携帯情報端末６０（あるいは他の機器）にその指示を出力することで、報知手段であるそれらの表示部５１、６１等に指示を出力するように構成することが可能である。
【００５７】
この場合、コンソール５０の表示部５１等に、電力供給経路に異常が生じていること（及び放射線画像撮影装置１の内蔵電源２４が充電されていないこと等）を文字や記号等で表示したり、あるいは音声を生じさせる等するように構成することで、放射線技師等の操作者に電力供給経路の異常を報知させるように構成することが可能となる。また、コンソール５０とは別体の図示しない表示装置を撮影室や前室（操作室等ともいう。）に設けておき、表示装置で電力供給経路に異常が生じていること（及び放射線画像撮影装置１の内蔵電源２４が充電されていないこと等）を報知するように構成することも可能である。
【００５８】
なお、例えば、報知手段が異常検出手段３３から電力供給経路の異常を報知する指示を受信しない場合は、電力供給経路は正常であるため、その場合、報知手段は、電力供給経路が正常であることを報知するように構成することも可能である。このように構成すれば、放射線技師等の操作者は、その報知により、電力供給経路に異常が生じている場合だけでなく、電力供給経路が正常である場合も、それを的確に認識することが可能となる。
【００５９】
［効果］
以上のように、本実施形態に係る放射線画像撮影システム１００や放射線画像撮影装置１によれば、放射線画像撮影装置１と電源部４１とをケーブルＣａで接続し、電源部４１から電力を供給して放射線画像撮影装置１の内蔵電源２４を充電する放射線画像撮影システムにおいて、放射線画像撮影装置１に異常検出手段３３を設け、異常検出手段３３は、ケーブルＣａを介して電源部４１から当該放射線画像撮影装置１の内蔵電源２４に電力を供給するための電力供給経路に異常が生じていることを検出すると、報知手段（例えば放射線画像撮影装置１のインジケーター２８やコンソール５０や携帯情報端末６０の表示部５１、６１等）に電力供給経路の異常を報知するように指示を出すように構成した。
【００６０】
そのため、通信用配線αを介して放射線画像撮影装置１とコンソール５０等の外部装置との間で通信が確立していて放射線画像撮影装置１とケーブルＣａとが的確に接続されていると判断される場合であっても、電力供給用配線βを含む電力供給経路に異常が生じている場合には報知手段にその旨が的確に表示される等して報知される。そのため、放射線画像撮影装置１と外部装置との間で通信が行われていても、電力供給用配線βを含む電力供給経路に異常が生じている場合には、放射線技師等の操作者にそれを的確に報知することが可能となる。
【００６１】
そのため、本実施形態に係る放射線画像撮影システム１００によれば、放射線技師等の操作者は、放射線画像撮影装置１と外部装置との間で通信が行われていても、その報知により、電力供給用配線βを含む電力供給経路に異常が生じている場合にはそれを的確に認識することが可能となるため、従来のシステムのように、放射線画像撮影装置１と外部装置との間で通信が行われていることで、放射線技師等の操作者が、電力供給用配線βを含む電力供給経路も正常であり放射線画像撮影装置１の内蔵電源２４が充電されていると誤認識してしまうことを的確に防止することが可能となる。
【００６２】
そのため、放射線画像撮影装置１の内蔵電源２４が充電されていると誤認識した放射線技師等の操作者が、放射線画像撮影装置１からケーブルＣａを取り外し、無線ＬＡＮ等の無線方式で画像データＤを転送したり放射線画像撮影装置１とコンソール５０等の外部装置との間で通信を行わせようとしても通信が行わず、その時点で初めて放射線画像撮影装置１の内蔵電源２４の充電が行われていないことに気づき、放射線画像撮影装置１の内蔵電源２４の充電を行う等の予定外の処理を行わなければならなくなり、予定していた作業に支障を来してしまう等の問題が生じることを的確に防止することが可能となる。
【００６３】
また、放射線画像撮影装置１の内蔵電源２４が充電されていると誤認識した操作者が放射線画像撮影装置１からケーブルＣａ等を取り外した状態で撮影を行ってしまい、撮影の最中に内蔵電源２４が消耗して放射線画像撮影装置１が動作を停止する等して、再撮影が必要になり、結局、被写体である患者の被曝線量がその分増えてしまうといった問題が生じることも的確に防止することが可能となる。
【００６４】
なお、上記の実施形態では、異常検出手段３３が、放射線画像撮影装置１の内蔵電源２４の充電時に内蔵電源２４の電圧Ｖが上昇しない場合に電力供給経路に異常が生じていることを検出するように構成されている場合について説明した。しかし、この他にも、例えば、異常検出手段３３が所定のタイミングで（例えば放射線画像撮影装置１にケーブルＣａが接続された際などに）充電制御手段３１から内蔵電源２４に所定量の電力を供給させ、内蔵電源２４の電圧Ｖが上昇するか否かに応じて電力供給経路に異常が生じているか否かを検出するように構成することも可能であり、電力供給経路の異常の検出処理を行う時期や方法等は適宜決められる。
【００６５】
また、異常検出手段３３（或いは他の装置）が、放射線画像撮影装置１と外部装置（コンソール５０や携帯情報端末６０等）との間の通信が確立しているか否かに基づいてそれらの間の通信に異常が生じているか否かを判断し、その判断に応じて、報知手段で、通信が正常であるか異常であるかを報知するように構成することも可能である。このように構成すれば、放射線技師等の操作者は、電力供給経路に異常が生じているか否かと同時に、通信が正常か異常かをも的確に認識することが可能となる。
【００６６】
［中継器で電力供給経路に短絡が生じていることを検出する構成例］
ところで、上記の実施形態では、中継器４０は、単に、放射線画像撮影装置１とコンソール５０や携帯情報端末６０（あるいは他の機器）との間の通信を中継するための装置であり、電源部４１を内蔵している場合には電源部４１から放射線画像撮影装置１に充電用の電力を供給させるための装置であった。
【００６７】
しかし、中継器４０がマイクロコンピューター等の制御手段を有している場合、その制御手段を用いて電力供給経路に短絡が生じているか否かを検出することができ、電力供給経路で短絡が生じている場合には報知手段（すなわちコンソール５０や携帯情報端末６０あるいは他の機器）にそれを報知させるように指示を出すように構成することができる。この構成例では放射線画像撮影システム１００がそのように構成されている場合について説明する。
【００６８】
なお、本構成例において、上記の実施形態と同じ装置等については上記の実施形態で使用した符号と同じ符号を用いて説明する。また、放射線画像撮影装置１と中継器４０との間を専用ケーブルＣａで接続するのではなく通信用配線αを含むケーブルや電力供給用配線βを含むケーブル等をそれぞれ別々に接続してもよいことは上記の実施形態と同様である。
【００６９】
また、中継器４０とコンソール５０との間を有線方式や無線方式で接続することが可能であること、コンソール５０の代わりに、あるいはそれとともに中継器４０と携帯情報端末６０や他の機器との間で通信を行うように構成することが可能であること、放射線画像撮影装置１のインジケーター２８やコンソール５０、携帯情報端末６０、あるいは他の機器を報知手段として使用可能であること等も上記の実施形態と同様である。
【００７０】
本構成例では、図７に示すように、中継器４０が備えるマイクロコンピューター等の制御手段が短絡検出手段４２として機能するように構成されているが、短絡検出手段４２を、中継器４０の制御手段とは別体に構成することも可能である。そして、短絡検出手段４２は、電源部４１と放射線画像撮影装置１とを接続する電力供給用配線βや、電力供給用配線βが接続された電源部４１の出力端子の電圧Ｖβ（以下、電流供給経路の電圧Ｖβという。）を検出するようになっている。なお、電源部４１を、中継器４０とは別体の機器として設けることも可能であることは上記の実施形態と同様である。
【００７１】
この場合、電力供給経路の短絡には、電力供給用配線βにおける短絡だけでなく、放射線画像撮影装置１内での短絡や電源部４１内での短絡も含まれる。そして、電力供給経路に短絡が生じている場合、電源部４１から放射線画像撮影装置１に供給する電力の電圧Ｖβは、図８に例示するように、短絡が生じていない場合の電圧Ｖｎ（図８の一点鎖線参照）に比べて格段に小さい（ほとんど０Ｖ（ＧＮＤ）に近い）電圧Ｖｓに低下する（図８の実線参照）。
【００７２】
そこで、短絡検出手段４２により電力供給経路に短絡が生じているか否かの検出処理としては、例えば、短絡検出手段４２で電源部４１から放射線画像撮影装置１に供給する電力の電圧Ｖβをモニターし、電圧Ｖβが、上記の電圧Ｖｎと電圧Ｖｓとの間の値として設定される閾値Ｖth（図８参照）以下である場合に、電力供給経路で短絡が生じていることを検出するように構成することが可能である。
【００７３】
このように構成すれば、閾値Ｖthを適切な値に設定することで、電力供給経路に短絡が生じていない場合の電圧Ｖｎと短絡が生じている場合の電圧Ｖｓとを的確に切り分けることが可能となり、電力供給経路で短絡が生じている場合にはそれを的確に検出することが可能となる。なお、本実施形態では、電源部４１から放射線画像撮影装置１に電力を常時供給しているため、短絡検出手段４２による上記の検出処理を常時行うことが可能であるが、適宜のタイミングで上記の検出処理を行うように構成することも可能である。
【００７４】
また、この構成例においても、短絡検出手段４２は、例えば上記のようにして電力供給経路で短絡が生じていることを検出すると、報知手段に電力供給経路で短絡が生じていることを報知するように指示を出すようになっている。そして、報知手段は、指示を受けると、電力供給経路で短絡が生じていることを報知するように構成されている。報知の方法等については上記の実施形態と同様である。
【００７５】
このように構成することで、放射線技師等の操作者に、電力供給経路で短絡が生じており、放射線画像撮影装置１の内蔵電源２４の充電が行われていないことを確実に報知することが可能となる。
【００７６】
そのため、通信用配線αを介して放射線画像撮影装置１とコンソール５０等の外部装置との間で通信が確立していて放射線画像撮影装置１とケーブルＣａとが的確に接続されていると判断される場合であっても、電力供給用配線βを含む電力供給経路で短絡が生じている場合には報知手段にその旨が的確に表示される等して報知される。そのため、放射線画像撮影装置１と外部装置との間で通信が行われていても、その報知により電力供給用配線βを含む電力供給経路で短絡が生じている場合には、放射線技師等の操作者にそれを的確に報知することが可能となる。
【００７７】
そのため、本構成例に係る放射線画像撮影システム１００によれば、放射線技師等の操作者は、放射線画像撮影装置１と外部装置との間で通信が行われていても、その報知により、電力供給用配線βを含む電力供給経路で短絡が生じている場合にはそれを的確に認識することが可能となるため、従来のシステムのように、放射線画像撮影装置１と外部装置との間で通信が行われていることで、放射線技師等の操作者が、電力供給用配線βを含む電力供給経路も正常であり放射線画像撮影装置１の内蔵電源２４が充電されていると誤認識してしまうことを的確に防止することが可能となる。
【００７８】
そのため、放射線画像撮影装置１の内蔵電源２４が充電されていると誤認識した放射線技師等の操作者が、放射線画像撮影装置１からケーブルＣａを取り外し、無線ＬＡＮ等の無線方式で画像データＤを転送したり放射線画像撮影装置１とコンソール５０等の外部装置との間で通信を行わせようとしても通信が行わず、その時点で初めて放射線画像撮影装置１の内蔵電源２４の充電が行われていないことに気づき、放射線画像撮影装置１の内蔵電源２４の充電を行う等の予定外の処理を行わなければならなくなり、予定していた作業に支障を来してしまう等の問題が生じることを的確に防止することが可能となる。
【００７９】
また、放射線画像撮影装置１の内蔵電源２４が充電されていると誤認識した操作者が放射線画像撮影装置１からケーブルＣａ等を取り外した状態で撮影を行ってしまい、撮影の最中に内蔵電源２４が消耗して放射線画像撮影装置１が動作を停止する等して、再撮影が必要になり、結局、被写体である患者の被曝線量がその分増えてしまうといった問題が生じることも的確に防止することが可能となる。
【００８０】
なお、本構成例では、短絡検出手段４２あるいは中継器４０の制御手段（以下、まとめて中継器４０の制御手段という。）が、放射線画像撮影装置１とコンソール５０等の外部装置との間で通信が行われていることを確認した場合や、自ら放射線画像撮影装置１との通信を行うことが可能である場合に、通信用配線αを介して放射線画像撮影装置１とコンソール５０等の外部装置との間で通信が確立していると判断（あるいは認識）するように構成すること（すなわち中継器４０で通信が可能か否かの判断を行うように構成すること）も可能である。
【００８１】
また、上記の実施形態でも同様であるが、本構成例では、中継器４０の制御手段は、ケーブルＣａのコネクターＣと放射線画像撮影装置１のコネクター２７とが適切に接続されているか否かの接続検出を行うことができるようになっている。すなわち、中継器４０の制御手段は、中継器４０の電源部４１（あるいはそれとは別の電源装置）からケーブルＣａ内の接続検出用配線γを介して放射線画像撮影装置１側に所定の電力値のパルス信号に送信する。
【００８２】
その際、ケーブルＣａのコネクターＣと放射線画像撮影装置１のコネクター２７とが適切に接続されていれば、接続検出用配線γを流れる電流の値や接続検出用配線γの電圧値は、放射線画像撮影装置１側の所定の内部抵抗に応じた所定の電流値や電圧値になる。しかし、ケーブルＣａのコネクターＣと放射線画像撮影装置１のコネクター２７とが適切に接続されていなければ、接続検出用配線γを流れる電流の値はほぼ０になり、接続検出用配線γの電圧値は、上記の適切に接続されている場合の電圧値よりも格段に高い値になる。
【００８３】
そこで、中継器４０の制御手段は、接続検出用配線γを介して放射線画像撮影装置１側にパルス信号を送信した際に測定される接続検出用配線γを流れる電流値や接続検出用配線γの電圧値をモニターすることで、ケーブルＣａのコネクターＣと放射線画像撮影装置１のコネクター２７とが適切に接続されているか否かの接続検出を行うようになっている。本構成例では、このようにして、中継器４０で放射線画像撮影装置１とケーブルＣａとの接続検出を行うことができるようになっている。
【００８４】
なお、本構成例で、中継器４０の制御手段から、接続検出用配線γではなく通信用配線αを介して放射線画像撮影装置１側にパルス信号を送信するように構成することで、上記の放射線画像撮影装置１とコンソール５０等の外部装置との間で通信が確立しているか否かの判断処理と、放射線画像撮影装置１とケーブルＣａとの接続検出とを同時に行うように構成することも可能である。
【００８５】
この場合、例えば、放射線画像撮影装置１はパルス信号を受信すると通信用配線αを介して所定の信号を返信するように構成し、中継器４０の制御手段は、通信用配線αを介して放射線画像撮影装置１から所定の信号を受信した場合に、放射線画像撮影装置１とコンソール５０等の外部装置との間で通信が確立していると判断するように構成される。
【００８６】
なお、本発明が上記の実施形態や構成例に限定されず、本発明の趣旨を逸脱しない限り、適宜変更可能であることは言うまでもない。
【符号の説明】
【００８７】
１  放射線画像撮影装置
２４  内蔵電源
２８  インジケーター（報知手段）
３３  異常検出手段
４０  中継器
４１  電源部
４２  短絡検出手段
５０  コンソール
５１  表示部（報知手段）
６０  携帯情報端末
６１  表示部（報知手段）
１００  放射線画像撮影システム
Ｃａ  ケーブル
Ｖ  内蔵電源の電圧
Ｖth  閾値
Ｖβ  放射線画像撮影装置に供給する電力の電圧
【図１】
2018121892.tif 000003
【図２】
2018121892.tif 000004
【図３】
2018121892.tif 000005
【図４】
2018121892.tif 000006
【図５】
2018121892.tif 000007
【図６】
2018121892.tif 000008
【図７】
2018121892.tif 000009
【図８】
2018121892.tif 000010